【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
１枚のシートに印刷するページ数を設定する設定手段と、
第１の印刷設定領域に前記ページ数を、第２の印刷設定領域に前記ページ数を表す図形を表示させる表示制御手段と、
を有する情報処理装置であって、
前記ページ数は、前記第１の印刷設定領域が選択されている間のユーザ操作に基づいて変更され、前記第２の印刷設定領域が選択されている間のオブジェクトの移動に基づいて変更され、
前記ページ数は、第１の方向への前記オブジェクトの前記移動に基づいて増加するよう変更され、かつ、前記第１の方向とは反対の第２の方向への前記オブジェクトの移動に基づいて減少するよう変更され、
前記第１の印刷設定領域が選択されている間の前記ユーザ操作に基づいて前記ページ数が変更される場合に設定可能なページ数の範囲は、前記第２の印刷設定領域が選択されている間の前記オブジェクトの移動に基づいて前記ページ数が変更される場合に設定可能なページ数の範囲に比べて広い
ことを特徴とする情報処理装置。
【請求項２】
前記オブジェクトはマウスホイールであることを特徴とする請求項１に記載の情報処理装置。
【請求項３】
前記第１の印刷設定領域は、ユーザが前記ページ数を変更することを可能にするプルダウンメニューを含むことを特徴とする請求項２に記載の情報処理装置。
【請求項４】
１枚のシートに印刷するページ数を設定する設定手段と、
オブジェクトが第１の方向に移動したか、前記第１の方向とは逆方向の第２の方向に移動したか判定する第１の判定手段と、
前記第１の判定手段が前記オブジェクトが前記第１の方向に移動したと判定した場合、前記設定されたページ数を増加させ、前記第１の判定手段が前記オブジェクトが前記第２の方向に移動したと判定した場合、前記設定されたページ数を減少させるように前記ページ数を再設定する再設定手段と、
前記再設定手段で再設定されたページ数と他の印刷設定との間で禁則関係が発生しているか判定する第２の判定手段と、
前記第２の判定手段が禁則関係が発生していると判定した場合に、前記他の印刷設定を変更する変更手段と、
を有することを特徴とする情報処理装置。
【請求項５】
前記設定手段で前記１枚のシートに印刷するページ数が１に設定されている場合には、
前記第１の判定手段が前記オブジェクトが前記第１の方向に移動したと判定したことに応じて、前記再設定手段は前記１枚のシートに印刷するページ数を２に再設定し、
前記第２の判定手段が前記オブジェクトが前記第２の方向に移動したと判定したことに応じて、前記再設定手段は複数のシートに１ページを印刷するようための設定を行うことを特徴とする請求項４に記載の情報処理装置。
【請求項６】
前記設定手段で設定されたページ数をプルダウンメニューの操作によって再設定する場合には、前記設定手段で設定されたページ数を前記オブジェクトの移動に応じて再設定する場合に比べて、選べるページ数の範囲が広いことを特徴とする請求項４に記載の情報処理装置。
【請求項７】
前記オブジェクトはマウスホイール、または、指であることを特徴とする請求項４ないし６のいずれか１項に記載の情報処理装置。
【請求項８】
前記オブジェクトの前記移動は、マウスホイールの回転であることを特徴とする請求項４ないし６のいずれか１項に記載の情報処理装置。
【請求項９】
前記オブジェクトの前記第１の方向の移動、及び、前記第２の方向の移動は、ピンチイン操作、及び、ピンチアウト操作であることを特徴とする請求項４ないし６のいずれか１項に記載の情報処理装置。
【請求項１０】
情報処理装置の制御方法であって、
１枚のシートに印刷するページ数を設定する設定工程と、
オブジェクトが第１の方向に移動したか、前記第１の方向とは逆方向の第２の方向に移動したか判定する第１の判定工程と、
前記第１の判定工程において前記オブジェクトが前記第１の方向に移動したと判定された場合、前記設定されたページ数を増加させ、前記第１の判定工程において前記オブジェクトが前記第２の方向に移動したと判定された場合、前記設定されたページ数を減少させるように前記ページ数を再設定する再設定工程と、
前記再設定工程において再設定されたページ数と他の印刷設定との間で禁則関係が発生しているか判定する第２の判定工程と、
前記第２の判定工程において禁則関係が発生していると判定された場合に、前記他の印刷設定を変更する変更工程とを含むことを特徴とする情報処理装置の制御方法。
【請求項１１】
前記設定工程において前記１枚のシートに印刷するページ数が１に設定されている場合には、
前記第１の判定工程において前記オブジェクトが前記第１の方向に移動したと判定したことに応じて、前記再設定工程において前記１枚のシートに印刷するページ数を２に再設定され、
前記第２の判定工程において前記オブジェクトが前記第２の方向に移動したと判定したことに応じて、前記再設定工程において複数のシートに１ページを印刷するようための設定を行われることを特徴とする請求項１０に記載の制御方法。
【請求項１２】
前記設定工程において設定されたページ数をプルダウンメニューの操作によって再設定する場合には、前記設定工程において設定されたページ数を前記オブジェクトの移動に応じて再設定する場合に比べて、選べるページ数の範囲が広いことを特徴とする請求項１０に記載の制御方法。
【請求項１３】
前記オブジェクトはマウスホイール、または、指であることを特徴とする請求項１０ないし１２のいずれか１項に記載の制御方法。
【請求項１４】
前記オブジェクトの前記移動は、マウスホイールの回転であることを特徴とする請求項１０ないし１２のいずれか１項に記載の制御方法。
【請求項１５】
前記オブジェクトの前記第１の方向の移動、及び、前記第２の方向の移動は、ピンチイン操作、及び、ピンチアウト操作であることを特徴とする請求項１０ないし１２のいずれか１項に記載の制御方法。
【請求項１６】
コンピュータに、請求項１０ないし１５のいずれか１項に記載の制御方法を実行させるためのプログラム。
【手続補正２】
【補正対象書類名】明細書
【補正対象項目名】０００８
【補正方法】変更
【補正の内容】
【０００８】
上記目的を達成するために本発明の一態様に係る情報処理装置は以下のような構成を備える。すなわち、本発明は、例えば情報処理装置であって、１枚のシートに印刷するページ数を設定する設定手段と、オブジェクトが第１の方向に移動したか、前記第１の方向とは逆方向の第２の方向に移動したか判定する第１の判定手段と、前記第１の判定手段が前記オブジェクトが前記第１の方向に移動したと判定した場合、前記設定されたページ数を増加させ、前記第１の判定手段が前記オブジェクトが前記第２の方向に移動したと判定した場合、前記設定されたページ数を減少させるように前記ページ数を再設定する再設定手段と、前記再設定手段で再設定されたページ数と他の印刷設定との間で禁則関係が発生しているか判定する第２の判定手段と、前記第２の判定手段が禁則関係が発生していると判定した場合に、前記他の印刷設定を変更する変更手段と、を有することを特徴とする。また、本発明は、例えば１枚のシートに印刷するページ数を設定する設定手段と、第１の印刷設定領域に前記ページ数を、第２の印刷設定領域に前記ページ数を表す図形を表示させる表示制御手段と、を有する情報処理装置であって、前記ページ数は、前記第１の印刷設定領域が選択されている間のユーザ操作に基づいて変更され、前記第２の印刷設定領域が選択されている間のオブジェクトの移動に基づいて変更され、前記ページ数は、第１の方向への前記オブジェクトの前記移動に基づいて増加するよう変更され、かつ、前記第１の方向とは反対の第２の方向への前記オブジェクトの移動に基づいて減少するよう変更され、前記第１の印刷設定領域が選択されている間の前記ユーザ操作に基づいて前記ページ数が変更される場合に設定可能なページ数の範囲は、前記第２の印刷設定領域が選択されている間の前記オブジェクトの移動に基づいて前記ページ数が変更される場合に設定可能なページ数の範囲に比べて広いことを特徴とする。